(57)【要約】【課題】  測光モードを的確に選択できるだけの技量がない撮影者であっても好みの露出の写真が得られるようにする。【解決手段】  被写界を測光して測光データを出力する測光装置と、複数の測光モードからいずれかを選択して設定する測光モード設定装置と、測光データに基づいて、設定されている測光モードに応じた演算方法で露出値を演算する露出値演算装置と、演算された露出値で撮影を行う撮影装置と、測光モードを自動的に変更しつつ複数駒の撮影を行うべく測光モード設定装置，露出値演算装置および撮影装置を制御する制御装置とを具備する。【選択図】        図８
2005115023.tif 000002
【特許請求の範囲】
【請求項１】
被写界を測光して測光データを出力する測光装置と、
複数の測光モードからいずれかを選択して設定する測光モード設定装置と、
前記測光データに基づいて、設定されている測光モードに応じた演算方法で露出値を演算する露出値演算装置と、
前記演算された露出値で撮影を行う撮影装置と、
測光モードを自動的に変更しつつ複数駒の撮影を行うべく前記測光モード設定装置，露出値演算装置および撮影装置を制御する制御装置とを具備することを特徴とする測光モードブラケティングが可能なカメラ。
【請求項２】
被写界の輝度値を測光する測光装置と、
複数の測光モードを選択的に設定可能な測光モード設定装置と、
前記輝度値と設定された前記測光モードとに基づいて露出値を演算する露出値演算装置と、
前記露出値で撮影を行う撮影装置と、
連続して複数駒撮影する際の撮影ごとに、前記測光モード設定装置で設定された測光モードを他の測光モードに変更し、変更された測光モードに基づいて前記露出値を演算するとともに、演算された露出値に基づいて前記撮影を行う制御装置とを備えたことを特徴とする測光モードブラケティングが可能なカメラ。
【請求項３】
前記制御装置は、前記測光モードを自動的に変更しつつ行う一連の撮影において、露出値が実質的に同一となる撮影が複数回存在する場合は、実質的に同一の露出値による撮影を禁止することを特徴とする請求項１または２に記載の測光モードブラケティングが可能なカメラ。
【発明の詳細な説明】
【技術分野】
【０００１】
本発明は、測光モードブラケティングが可能なカメラに関する。
【背景技術】
【０００２】
カメラの測光モードとしては、分割測光，中央部重点測光，スポット測光，平均測光，中央部重点平均測光など種々のものがあり、殆どのカメラは２以上の測光モードから撮影者がいずれかを選択できるよう構成されている。撮影者は、シーンに応じて最適な測光モードを選択するが、様々な撮影シーンに対して測光モードを的確に選択できるようになるには多くの経験を要する。
【０００３】
一方、露出を所定の補正量（例えば、１段，１／２段）だけ自動的にずらしながら複数枚の撮影を行うオートブラケティング撮影が知られている（例えば、特許文献１，２参照）。オートブラケティング撮影を行うことで、カメラが演算した露出値が撮影者にとって適正でなくても、少なくとも１枚は意図した露出の写真が得られる可能性を高めることができる。特に特許文献２のものは、複数領域の輝度値の最大値と最小値との差が小さい場合には、露出値の設定が難しいシーンではないと判断し、オートブラケティングを禁止することで無駄な撮影が行われないようにしている。なお、オートブラケティング撮影は測光モードとは無関係に行われる。
【０００４】
【特許文献１】特許第２８０３８９４号公報
【特許文献２】特開平７−１５９８４２号公報
【発明の開示】
【発明が解決しようとする課題】
【０００５】
複数の測光モードを備えたカメラにおいて、撮影者はシーンに応じて最適な測光モードを選択するが、様々な撮影シーンに対して測光モードを的確に選択できるようになるには多くの経験を要する。測光モードの選択ミスによって露出が意図したものと大きくかけ離れてしまい、たとえオートブラケティング撮影を行っても対応しきれない場合がある。
【課題を解決するための手段】
【０００６】
請求項１の発明に係る測光モードブラケティングが可能なカメラは、被写界を測光して測光データを出力する測光装置と、複数の測光モードからいずれかを選択して設定する測光モード設定装置と、測光データに基づいて、設定されている測光モードに応じた演算方法で露出値を演算する露出値演算装置と、演算された露出値で撮影を行う撮影装置と、測光モードを自動的に変更しつつ複数駒の撮影を行うべく測光モード設定装置，露出値演算装置および撮影装置を制御する制御装置とを具備する。
請求項２の発明に係る測光モードブラケティングが可能なカメラは、被写界の輝度値を測光する測光装置と、複数の測光モードを選択的に設定可能な測光モード設定装置と、輝度値と設定された測光モードとに基づいて露出値を演算する露出値演算装置と、露出値で撮影を行う撮影装置と、連続して複数駒撮影する際の撮影ごとに、測光モード設定装置で設定された測光モードを他の測光モードに変更し、変更された測光モードに基づいて露出値を演算するとともに、演算された露出値に基づいて撮影を行う制御装置とを備える。
請求項３の発明は、測光モードを自動的に変更しつつ行う一連の撮影において、露出値が実質的に同一となる撮影が複数回存在する場合は、実質的に同一の露出値による撮影を禁止するものである。
【発明の効果】
【０００７】
本発明によれば、測光モードを自動的に変更しつつ複数駒の撮影を行えるようにしたので、手間をかけずに複数の測光モードで撮影が行え、測光モードを的確に選択できるだけの技量がない撮影者であっても、また従来のオートブラケティングでは対応しきれないようなケースでも、好みの露出の写真を得る可能性を高めることができる。
【発明を実施するための最良の形態】
【０００８】
図１〜図１２により本発明の一実施の形態を説明する。
図１は本実施形態におけるカメラの制御系のブロック図であり、測光および露出制御に関連する部分のみ示してある。まず基本的な動作を説明すると、測光回路２は、後述するような測光素子にて被写界を測光し、測光データを測光制御部１に入力する。測光制御部１は、測光回路２を制御して測光を行わしめるとともに、測光回路２からの測光データに基づいて次回の測光における測光時間や測光回路２のゲインを設定する。
【０００９】
露出演算部３は、測光制御部１からの測光データを取込み、不図示の撮影レンズ内に格納されたレンズの焦点距離、開放絞り値、射出瞳位置、ケラレ情報等のレンズデータに基づいて測光データを補正し、その補正データに基づいて輝度値を算出するとともに、算出された輝度値とＩＳＯ感度等に基づいて適正露出値を算出する。これら輝度値および露出値の演算方法は測光モードによって異なるため、露出演算部３は、測光モード設定部７から入力される測光モード設定状況に基づいて演算を行う。露出制御部５は、不図示のレリーズボタンの全押し操作に伴ってミラー９をアップするとともに、露出演算部３によって演算された適正露出値に基づいて絞り１０やシャッタ１１を駆動して露光（撮影）を行う。
【００１０】
測光モード設定部７は、後述する３種類の測光モードからいずれかを手動設定するための操作部であり、例えば図２に示すような回転スイッチ７１および指標７２にて構成される。スイッチ７１に描かれた絵柄を指標７２に合わせることで、その絵柄に応じた測光モードが基準測光モードとして設定される。
【００１１】
測光モードブラケティング設定部６は、測光モードブラケティングを設定／解除するための操作部で、例えば図３に示すようなブラケティングスイッチ６１，ブラケティング解除スイッチ６２およびコマンドダイアル６３から成る。操作の詳細については後述する。
【００１２】
情報管理部４は、測光モード設定部７および測光モードブラケティング設定部６等からの情報や、不図示のレリーズボタンを始めとする種々のスイッチ類の操作状況を読み取り、それに応じて実際に使用する測光モードを決定したり、測光制御部１、露出演算部３、露出制御部５、表示部８などを制御する。表示部８は、例えばカメラ外面に設けられる液晶表示装置やファインダ内表示装置、およびその駆動回路から構成され、撮影時の露出値やモード設定状況など種々の情報を表示する。
なお、情報管理部４、測光制御部１、露出演算部３、露出制御部５は、マイクロプロセッサ（以下、マイコン）１００によって実現される。
【００１３】
次に、本実施形態における測光モードおよび測光モードブラケティングについて詳述する。
設定可能な測光モードは次の３つである。
（１）分割測光モード（以下、ＡＭＰモード）：被写界全体あるいは大部分を複数領域に分割してそれぞれの領域の輝度値を求め、これら複数の輝度値から適正露出値を求める。
（２）中央部重点測光モード（以下、ＣＷモード）：被写界の中央部分を重点的に測光して適正露出値を求める。
（３）スポット測光モード（以下、ＳＰモード）：被写界のごく狭い領域を測光して適正露出値を求める。
【００１４】
図４は上記３つの測光モードに対応した測光素子を示し、素子の分割状態を被写界に照らし合わせて示したものである。測光素子２Ａは、例えばＣＣＤのような電荷蓄積型のセンサが用いられ、センサは被写界の周縁部分を除く大部分のエリアＡｒ１を、縦１２分割、横２０分割の合計２４０領域に分割し、それぞれの分割領域を独立して測光可能とされる。ＡＭＰモードの測光エリアはエリアＡｒ１であり、つまり２４０領域の測光データの全てを露出演算に用いる。ＣＷモードでは、中央の５２領域が１つのエリアＡｒ２とみなされ、そのエリアＡｒ２の測光データ（５２領域の平均値）が露出演算に用いられる。ＳＰモードでは、更に狭い中央４領域が１つのエリアＡｒ３とみなされ、そのエリアＡｒ３の測光データ（４領域の平均値）が露出演算に用いられる。
【００１５】
マイコン１００は、通常は測光モード設定部７によって設定された基準測光モード（撮影者が指定した測光モード）を実行測光モード（撮影にあたって実際に使用する測光モード）とし、その実行測光モードに応じたアルゴリズムで露出演算を行って適正露出値を算出する。ただし、以下に説明する測光モードブラケティングにおいては、必ずしも基準測光モード＝実行測光モードとは限らない。
【００１６】
測光モードブラケティングは、測光モードを自動的に切替えて複数駒の撮影を行う撮影方式である。本実施形態では測光モードの総数が３であるから、一連の測光モードブラケティングにおける撮影駒数は２または３となる。第１駒目の撮影は基準測光モードで行う。例えば基準測光モードがＡＭＰモードである場合を例にとると、まず基準測光モードであるＡＭＰモードを実行測光モードとして１駒目の撮影を行い、次にＣＷモードおよびＳＰモードのいずれか一方を実行測光モードとして２駒目の撮影を行う。撮影駒数が２駒であればこれで終了となるが、３駒の場合は更にＣＷモードおよびＳＰモードのいずれか他方を実行測光モードとして３駒目の撮影を行う。撮影駒数や測光モードの組み合わせは、撮影者が測光モードブラケティング設定部６にて設定できるようになっている。
【００１７】
図５は測光モードブラケティングの設定方法を説明する図で、液晶表示装置の画面遷移を示すものである。図３のブラケティングスイッチ６１を押しながらコマンドダイアル６３を回転操作すると、Ａ〜Ｄの画面表示がサイクリックに切替わる。画面中のマークＭ１は基準測光モード、つまり測光モードブラケティングにおいて１駒目に実行測光モードとなる測光モードを示し、これは常に点灯あるいは点滅する。この例では基準測光モードはＡＭＰモードとなっている。マークＭ２は測光モードブラケティングの設定の有無を、マークＭ３，Ｍ４は２駒目または３駒目に実行測光モードとなるモードを示している。
【００１８】
そして、画面Ａは測光モードブラケティングが非設定の状態（Ｍ２が消灯）を、画面Ｂ〜Ｄは測光モードブラケティング設定の状態（Ｍ２が点灯）を示す。さらに画面Ｂは２駒目がＣＷモードで３駒目はなしの状態（Ｍ３点灯，Ｍ４消灯）を、画面Ｃは２駒目がＳＰモードで３駒目はなしの状態（Ｍ３消灯，Ｍ４点灯）を、画面Ｄは２駒目がＣＷモードで３駒目がＳＰモードの状態（Ｍ３，Ｍ４点灯）をそれぞれ示している。マイコン１００は、操作者がブラケティングスイッチ６１から手を離すことで「確定」とみなし、そのときの画面表示内容が実現されるよう設定を行う。またブラケティング解除スイッチ６２が操作されると、マイコン１００は測光モードブラケティングを解除し、画面Ａの表示に戻す。さらに、測光モード設定部７によって基準測光モードが変更された場合も測光モードブラケティングは解除される。
【００１９】
図６（ａ）は図５の画面Ｄの設定で実際に測光モードブラケティング撮影を実行する際の表示遷移を示している。画面Ｄ１は１駒目の撮影に先立って表示される画面を示し、１駒目に実行測光モードとなる測光モード（マークＭ１）を点滅によって撮影者に報知する。１駒目の撮影が終了すると、マークＭ１の点滅が点灯に戻り、代わって２駒目に実行測光モードとなる測光モード（マークＭ３）が点滅する。これが画面Ｄ２である。さらに２駒目の撮影が終了すると、３駒目に実行測光モードとなる測光モード（マークＭ４）が点滅する（画面Ｄ３）。３駒目の撮影が終了すると、一連の測光モードブラケティング撮影が終了したことになるが、測光モードブラケティングの設定は解除されず、再度測光モードブラケティング撮影を最初から行うべく画面Ｄ１に戻る。同様に図６（ｂ）は図５の画面Ｂの設定で測光モードブラケティング撮影を実行する際の表示遷移を示している。
【００２０】
なお、一連の測光モードブラケティング撮影が終了した時点で測光モードブラケティングが自動的に解除されるようにしたり、撮影駒数が所定数に達したら解除されるよう構成してもよい。
【００２１】
このような測光モードブラケティングによる作用効果について説明する。
複数の測光モードはそれぞれ利点と欠点を有する。例えば、ＡＭＰモードは最も多用されるモードであり、カメラが分割測光結果に基づいて画面内の領域ごとに重み付けしたり、特定の領域を除外するなどして、その主要被写体が適正露出となるように露出演算を行う。したがって、逆光シーンであっても露出アンダーにならず、主要被写体を適正露出で撮影できる。しかし、カメラと撮影者とで主要被写体の認識にずれが生ずることもあり、場合によっては撮影者が望む露出とは大きくかけ離れた露出となってしまう。ＣＷモードは比較的無難であるが、逆光シーンでは主要被写体が露出アンダーになってしまうおそれがある。ＳＰモードは測光位置を誤らなければ撮影者の意図した露出が得られるが、被写体の反射率を考慮する必要があり、経験が不足すると大きく露出アンダーあるいはオーバーになってしまう。
このように複数の測光モードは、それぞれ撮影シーンや主要被写体の位置などによって得手、不得手があり、その都度適切な測光モードが選択できれば適正露出となる可能性は高いが、選択を誤ると露出が大きく外れることもある。
【００２２】
例えば図７のようなシーンを想定する。この構図では、画面内に建物，空，山，太陽といったそれぞれ輝度の異なる複数の被写体が存在しており、撮影者によって、あるいはそのときの気分によって適正露出とすべき被写体（主要被写体）は異なる。つまり建物を主体に撮影したい場合、山を主体として撮影したい場合、画面全体を１つの風景として撮影したい場合、夕暮れ時の太陽を主体に撮影したい場合などがある。しかし、何を主体にしたときにいずれの測光モードが適しているかを迷わず的確に判断できる撮影者は少なく、測光モードの選択に迷った挙げ句に不適切な測光モードを選択し、結果として失敗写真となるといったケースは多い。かかるケースにおいて、本実施形態のように自動的に測光モードを切替えつつ複数駒の撮影を行うことができれば、いちいち測光モードを手動で切替えることなく複数の測光モードで同一シーンを撮影することができ、そのうちの少なくとも１枚は適正露出の写真が得られる可能性は高い。
【００２３】
次に、従来からあるオートブラケティングと測光モードブラケティングとを比較する。
オートブラケティング撮影は、測光モードを変えるのではなく、ある測光モードにおいてカメラが求めた適正露出値を基準とし、そこからプラス側および／またはマイナス側に露出をずらしつつ撮影する方式である。かかる方式では、測光モードの選択が適切でなかった場合、例えばカメラと撮影者とで主要被写体の認識にずれが生じたような場合には、たとえオートブラケティングを行っても対応しきれなかったり、対応させるには駒数を多くしなければならず無駄が多くなる。測光モードブラケティングによれば、複数の測光モードで撮影を行うため、少なくとも１つの測光モードではカメラと撮影者とで主要被写体の認識等が一致し、オートブラケティングで対応できない場合でも適正露出で撮影できる可能性が高い。
【００２４】
図８〜図１１は上述した測光モードブラケティングをソフト的に実現するためのフローチャートである。
例えばレリーズボタンの半押し操作に伴ってマイコン１００はこのプログラムを起動し、まずメインルーチン（図８）のステップＳ１０１で測光回路２を作動させて測光を行う。ステップＳ１０２では、測光によって得られた測光データに基づき、実行測光モードに応じた輝度値を算出する。つまり図９に示すように、実行測光モードを判定し（ステップＳ２０１）、ＡＭＰモードであれば分割測光演算を、ＣＷモードであれば中央部順点測光演算を、ＳＰモードであればスポット測光演算を行って輝度値を算出する（ステップＳ２０２，Ｓ２０３，Ｓ２０４）。各演算の方法は公知であるため、ここでは詳述しない。
【００２５】
次に、ステップＳ１０３では、上記算出された輝度値および設定ＩＳＯ感度等に基づいて絞り値およびシャッタ速度を演算する。なお、絞り値およびシャッタ速度のいずれか一方が撮影者によって設定されている場合には、その設定値に応じて他方の値を求める。ステップＳ１０４ではレリーズボタンが全押しされているか否かを判定し、全押しされていなければステップＳ１０８で半押しタイマーが切れたか否かを判定する。タイマー作動中であればステップＳ１０１に戻って上述の処理を繰り返し、タイマー切れであれば処理を終了させる。すなわち、半押し操作中および半押しが解除されても所定時間が経過するまでは、測光および露出演算が繰り返し行われる。
【００２６】
一方、ステップＳ１０４で全押し操作が確認されるとステップＳ１０５に進み、ステップＳ１０３で演算された絞り値およびシャッタ速度に基づいて絞りおよびシャッタを駆動して露光制御（撮影）を行う。撮影後、ステップＳ１０６で測光モードブラケティング撮影中であるか否かをブラケティング設定カウンタから判定する。ブラケティング設定カウンタは、後述するように０，１，２，３のいずれかの値をとり得るもので、０は図５の画面Ａに対応し、１〜３はそれぞれ画面Ｂ〜Ｄに対応する。ブラケティング設定カウンタが０であればステップＳ１０６が否定され、ステップＳ１０８に進む。ブラケティング設定カウンタが０以外であればステップＳ１０６が肯定され、ステップＳ１０７に進む。ステップＳ１０７では、実行測光モードを切替えてステップＳ１０８に進む。
【００２７】
図１０は実行測光モード切替え（ステップＳ１０７）の詳細を示している。この処理では、変数としてブラケティングカウンタが使用される。ブラケティングカウンタは、上記ブラケティング設定カウンタとは別のもので、初期値として２または３（２駒の撮影か３駒の撮影か）に設定され、その後、撮影が行われるたびに１ずつデクリメントされるものである。つまり、ブラケティングカウンタは、一連の測光モードブラケティング撮影の残りの撮影駒数を表す。ステップＳ３０１では、ステップＳ１０５での撮影を受けてブラケティングカウンタをデクリメントする。
【００２８】
ステップＳ３０２ではブラケティングカウンタを判定し、０でなければステップＳ３０４に進み、０であればステップＳ３０３で初期値にリセットしてからステップＳ３０４に進む。すなわち、ブラケティングカウンタが０ということは、一連の測光モードブラケティング撮影が終わったことを意味しているから、ブラケティングカウンタを初期値に戻して一連の測光モードブラケティング撮影が再度行われるようにする（図６（ａ）のＤ３からＤ１への移行に相当）。
【００２９】
ステップＳ３０４では、図１２に示すブラケティングテーブル（予めマイコン１００に格納されている）を用いて次の撮影における実行測光モードを決定する。このテーブルは、基準測光モードと、ブラケティング設定カウンタと、ブラケティングカウンタとから次の撮影における実行測光モードを決定するためのものである。例えば、基準測光モードがＡＭＰモードで、３駒の撮影が指定され（ブラケティング設定カウンタ＝３）、既に１駒目の撮影が終了している（ブラケティングカウンタ＝２（初期値は３））とすると、テーブルからは実行測光モードとしてＣＷモードが選択されることになる。
【００３０】
図１１は測光ブラケティングの設定／解除の処理手順を示し、このルーチンはタイマ割り込みにより所定の時間間隔で定期的に実行されるものである。ステップＳ４０１では、現在の基準測光モードが前回撮影時の基準測光モードと等しいか否かを判定する。ステップＳ４０１が否定されるということは、撮影者が基準測光モードを変更したことを意味し、この場合にはステップＳ４１２で実行測光モードを基準測光モードとし、またステップＳ４１３でブラケティングカウンタを０に設定する。つまり測光モードブラケティングを解除する。その後、ステップＳ４１６で前回測光モードを現在の基準設定モードに設定し、リターンする。このステップＳ４１６の処理を行うのは、上記ステップＳ４０１で基準測光モードの変更の有無を判定するためである。
【００３１】
ステップＳ４０１が肯定されると、ステップＳ４０２でブラケティング解除スイッチ６２の操作の有無を判定する。ステップＳ４０２が肯定されると上記ステップＳ４１２に進み、否定されるとステップＳ４０３でブラケティングスイッチ６１の操作の有無を判定する。ステップＳ４０３が否定されると、ステップＳ４１０で測光モードブラケティング中か否か（測光モードブラケティングが設定されているか否か）を判定し、否定されるとステップＳ４１２に進み、肯定されるとステップＳ４１１でブラケティングテーブルから実行測光モードを決定し、ステップＳ４１６に進む。
【００３２】
ステップＳ４０３が肯定された場合、つまりブラケティングスイッチ６１がオンされている場合には、ステップＳ４０４以降で測光モードブラケティングの設定処理を行う。すなわち、ステップＳ４０４ではコマンドダイアル６３の操作の有無を判定し、操作されていなければステップＳ４０７に進み、操作されていればステップＳ４０５でブラケティング設定カウンタをインクリメントしてステップＳ４０７に進む。ステップＳ４０７では、ブラケティング設定カウンタが４か否かを判定する。ブラケティング設定カウンタは、図５の各画面Ａ〜Ｄに対応する０〜３のいずれかの値をとるものであり、これが４ということは、画面Ｄの状態で更にコマンドダイアル６３が操作されたことを意味する。したがってステップＳ４０８では、画面Ａの状態にすべくブラケティング設定カウンタを０とする。
【００３３】
ステップＳ４０９ではブラケティングスイッチ６１がまだオンか否かを判定し、オンであればステップＳ４０４に戻って上述の処理を繰り返し、オフされると、現在の表示画面に対応するブラケティング設定カウンタの値と、ブラケティングカウンタの初期値とを保存してステップＳ４１６に進む。ブラケティングカウンタの初期値は、ブラケティング設定カウンタが１または２のときは２（２駒撮影）であり、ブラケティング設定カウンタが３のときは３（３駒撮影）である。
【００３４】
以上の実施形態では、一連の測光モードブラケティングにおいて必ず各回の撮影を行っているが、被写体によっては、測光モードが変わっても露出値が同一となるようなケースもあり、このような場合に各モードで撮影を行っても同一露出の写真が複数得られるだけで意味がなく、無駄である。そこで、以下に示す実施形態では、一連の測光モードブラケティング撮影において、露出値が実質的に同一となる撮影が２回以上行われることを禁止して無駄を省くようにした。例えば、図５の画面Ｂの設定の場合、基準測光モードであるＡＭＰモードでは必ず撮影を行うが、その後のＣＷモードで得られる露出値がＡＭＰモードで得られた露出値と同一になる場合には、ＣＷモードでの撮影は禁止される。
【００３５】
図１３はこのような撮影禁止を加味したフローを示し、これは先の実施形態の図８に代わるものである。図８と同一のステップには同一のステップ番号を付す。
図１３において、ステップＳ１０２での輝度値算出の後、ステップＳ５０１で測光ブラケティング中か否か（測光モードブラケティングが設定されているか否か）を判定する。否定されると上述したステップＳ１０３以降の処理を行い、肯定されるとステップＳ５０２に進む。ステップＳ５０２では、輝度値算出処理で前回算出された輝度値と今回算出された輝度値の差を判定する。実行測光モードが切替えられた直後におけるステップＳ２０５の判定は、実質的に前回の実行測光モードにおける輝度値と今回の実行測光モードにおける輝度値との比較となる。上記差が所定の閾値以上であれば、今回の輝度値から算出される露出値が前回の露出値と異なると判断し、ステップＳ５０３で今回の算出輝度値を前回輝度値として記憶した後、通常どおりステップＳ１０３以降の処理に進む（撮影を許容する）。
【００３６】
ここで、本実施形態では、一連の測光モードブラケティング撮影のうち、最初に設定される基準測光モードでは必ず撮影が行われるようにしている。したがって、基準測光モードでは必ずステップＳ５０２が否定されるように、予め前回輝度値として大きな値を設定しておく。
【００３７】
一方、上述した差が閾値未満であった場合には、今回の輝度値から算出される露出値が前回の露出値と同じになると判断し、ステップＳ５０４で今回の算出輝度値を前回輝度値として記憶した後、露出値算出や撮影を行うことなくステップＳ１０７で実行測光モードの切替えを行う。その後、ステップＳ５０５ではブラケティングカウンタを判定し、これが初期値であれば、新たに測光を行うべくステップＳ１０１に戻り、初期値でなければ測光を行わずに輝度値算出を行うべくステップＳ１０２に戻る。すなわち、一連の測光モードブラケティング撮影における各回の輝度値は、全て同一の測光結果から演算される。
【００３８】
なお、一連の測光モードブラケティング撮影において、基準測光モードで撮影したときの露出値を基準露出値として記憶しておき、それ以外の測光モードでは、基準露出値と露出値が異なる場合のみ撮影を許容するようにしてもよい。
【００３９】
また以上では３つの測光モードを持つ例を示したが、４以上の測光モードを持つものや、逆に２モードしか持たないものにも本発明を適用できる。さらに測光モードブラケティングにおける撮影順序は制約を受けず、必ずしも基準測光モードが先でなくてもよい。また撮影枚数や測光モードの組み合わせを選択可能な例を示したが、より簡便な方法として、測光モードの組み合わせや順序、撮影枚数は一義的に決まっており、測光モードブラケティングを行うか否かのみを撮影者が選択可能な構成でもよい。
【図面の簡単な説明】
【００４０】
【図１】本発明の一実施形態におけるカメラの制御系のブロック図。
【図２】測光モード設定部の構成を示す図。
【図３】測光モードブラケティング設定部の構成を示す図。
【図４】測光素子を被写界に重ね合わせて示す図。
【図５】測光モードブラケティングの設定画面の遷移を示す図。
【図６】測光モードブラケティング実行時の画面の遷移を示す図。
【図７】被写界の一例を示す図。
【図８】カメラ制御を示すメインのフローチャート。
【図９】輝度値算出処理の詳細を示すフローチャート。
【図１０】実行測光モード切替処理の詳細を示すフローチャート。
【図１１】測光モードＳＷ読込み処理の詳細を示すフローチャート。
【図１２】実行測光モードを選択するためのブラケティングテーブルを示す図。
【図１３】他の実施形態におけるメインのフローチャート。
【符号の説明】
【００４１】
１  測光制御部
２  測光回路
２Ａ  測光素子
３  露出演算部
４  情報管理部
５  露出制御部
６  測光モードブラケティング設定部
７  測光モード設定部
６１  ブラケティングスイッチ
６２  ブラケティング解除スイッチ
６３  コマンドダイアル
７１  回転スイッチ
７２  指標
【図１】
2005115023.tif 000003
【図２】
2005115023.tif 000004
【図３】
2005115023.tif 000005
【図４】
2005115023.tif 000006
【図５】
2005115023.tif 000007
【図６】
2005115023.tif 000008
【図７】
2005115023.tif 000009
【図８】
2005115023.tif 000010
【図９】
2005115023.tif 000011
【図１０】
2005115023.tif 000012
【図１１】
2005115023.tif 000013
【図１２】
2005115023.tif 000014
【図１３】
2005115023.tif 000015